(57)【要約】【課題】広範囲のレベルを有する入力信号に対して安定した出力信号を出力する。【解決手段】利得制御装置１は、縦続接続された利得制御部１０Ａ及び利得制御部１０Ｂを備え、利得制御部１０Ａ及び利得制御部１０Ｂは、可変利得増幅器１１と、可変利得増幅器１１の出力信号のレベルを検出するレベル検出部１３１と、レベル検出部１３１が検出したレベルに基づいて、可変利得増幅器１１の利得を制御する増幅器制御部１３２と、を有し、一の利得制御部１０Ｂの増幅器制御部１３２は、他の利得制御部１０Ａの増幅器制御部１３２が可変利得増幅器１１の利得を制御していない場合に、一の利得制御部１０Ｂの可変利得増幅器１１の利得を制御する。【選択図】図１
2015076649.tif 000002
【特許請求の範囲】
【請求項１】
縦続接続された複数の利得制御部を備え、
それぞれの前記利得制御部は、
可変利得増幅器と、
前記可変利得増幅器の出力信号のレベルを検出するレベル検出部と、
前記レベル検出部が検出した前記レベルに基づいて、前記可変利得増幅器の利得を制御する増幅器制御部と、
を有し、
前記複数の利得制御部のうちの一の利得制御部の前記増幅器制御部は、他の前記利得制御部の前記増幅器制御部が前記可変利得増幅器の利得を制御していない場合に、前記一の利得制御部の前記可変利得増幅器の利得を制御する、
利得制御装置。
【請求項２】
前記複数の利得制御部のうちの少なくとも１つは、前記出力信号のレベルが収束安定しているか否かの状態を示す状態情報を生成する状態情報生成部をさらに備え、
前記一の利得制御部の前記増幅器制御部は、前記他の利得制御部が有する前記状態情報生成部が生成した前記状態情報に基づいて、前記一の利得制御部の前記可変利得増幅器の利得を制御するか否かを判定する、
請求項１に記載の利得制御装置。
【請求項３】
前記利得制御部は、前記出力信号の目標レベルを記憶する記憶部をさらに備え、
前記増幅器制御部は、前記レベル検出部が検出した前記レベルと前記目標レベルとの差分に基づいて選択した調整幅により、前記可変利得増幅器の利得を制御する、
請求項１又は２に記載の利得制御装置。
【請求項４】
前記一の利得制御部の前記目標レベルに対して許容される前記出力信号のレベルの範囲を示す目標収束範囲が、前記他の利得制御部の前記目標収束範囲よりも小さい、
請求項３に記載の利得制御装置。
【請求項５】
前記増幅器制御部は、前記レベル検出部が検出した前記レベルと前記目標レベルとの差分に基づいて選択したサンプリング周期で前記レベルをサンプリングすることにより、前記可変利得増幅器の利得を制御する、
請求項３又は４に記載の利得制御装置。
【請求項６】
前記増幅器制御部は、前記レベルをサンプリングするタイミングに同期して、前記他の利得制御部の前記増幅器制御部が前記可変利得増幅器の利得を制御しているか否かを判定する、
請求項５に記載の利得制御装置。
【請求項７】
縦続接続された複数の利得制御部において利得を制御する利得制御方法であって、
前記複数の利得制御部のうちの一の利得制御部は、
可変利得増幅器の出力信号のレベルを検出する手順と、
他の前記利得制御部が、当該他の前記利得制御部が備える前記可変利得増幅器の利得を制御していない場合に、検出した前記レベルに基づいて、前記一の利得制御部が備える可変利得増幅器の利得を制御する手順と、
を備える利得制御方法。
【発明の詳細な説明】
【技術分野】
【０００１】
本発明は、利得制御装置及び利得制御方法に関する。
【背景技術】
【０００２】
従来、入力信号に対する出力信号の利得を調整し、出力信号のレベルを目標レベルから一定の範囲に制御する利得制御（ＡＧＣ：Auto Gain Control）装置が知られている（例えば、特許文献１参照）。
【先行技術文献】
【特許文献】
【０００３】
【特許文献１】特開２００５−３４１００９号公報
【発明の概要】
【発明が解決しようとする課題】
【０００４】
ところで、利得制御装置は、入力信号の利得を調整する可変利得増幅器を備えている。この可変利得増幅器は、所定の範囲の利得を調整することができるものの、入力信号のレベルが広範囲である場合には、調整し得る利得を超えてしまう場合がある。このような問題に対応するために、複数の可変利得増幅器を縦続接続させ、複数の可変利得増幅器のそれぞれにおいて利得制御を行うことが知られている。
【０００５】
しかしながら、複数の可変利得増幅器のそれぞれにおいて利得制御を行う場合には、各々の可変利得増幅器が出力する出力信号のレベルが変動するため、出力信号のレベルが安定するまでに時間が掛かるという問題が発生する。例えば、２つの可変利得増幅器を縦続接続させた場合において、前段の可変利得増幅器からの出力信号のレベルが収束するまでに、出力信号が大きく変化することがある。この結果、後段の可変利得増幅器では、当該出力信号に基づいて調整した利得が、目標レベルの出力信号に対応する理想的な利得から大きく乖離してしまい、理想的な利得に調整できるまでに時間が掛かってしまうことがある。
【０００６】
そこで、本発明はこれらの点に鑑みてなされたものであり、出力信号のレベルを短時間で目標範囲に収束させることができる利得制御装置及び利得制御方法を提供することを目的とする。
【課題を解決するための手段】
【０００７】
本発明の第１の態様に係る利得制御装置は、縦続接続された複数の利得制御部を備え、それぞれの前記利得制御部は、可変利得増幅器と、前記可変利得増幅器の出力信号のレベルを検出するレベル検出部と、前記レベル検出部が検出した前記レベルに基づいて、前記可変利得増幅器の利得を制御する増幅器制御部と、を有し、前記複数の利得制御部のうちの一の利得制御部の前記増幅器制御部は、他の前記利得制御部の前記増幅器制御部が前記可変利得増幅器の利得を制御していない場合に、前記一の利得制御部の前記可変利得増幅器の利得を制御することを特徴とする。
【０００８】
また、前記利得制御装置は、前記複数の利得制御部のうちの少なくとも１つは、前記出力信号のレベルが収束安定しているか否かの状態を示す状態情報を生成する状態情報生成部をさらに備え、前記一の利得制御部の前記増幅器制御部は、前記他の利得制御部が有する前記状態情報生成部が生成した前記状態情報に基づいて、前記一の利得制御部の前記可変利得増幅器の利得を制御するか否かを判定してもよい。
【０００９】
また、前記利得制御装置は、前記出力信号の目標レベルを記憶する記憶部をさらに備え、前記増幅器制御部は、前記レベル検出部が検出した前記レベルと前記目標レベルとの差分に基づいて選択した調整幅により、前記可変利得増幅器の利得を制御してもよい。
【００１０】
また、前記利得制御装置では、前記一の利得制御部の前記目標レベルに対して許容される前記出力信号のレベルの範囲を示す目標収束範囲が、前記他の利得制御部の前記目標収束範囲よりも小さくてもよい。
【００１１】
また、前記増幅器制御部は、前記レベル検出部が検出した前記レベルと前記目標レベルとの差分に基づいて選択したサンプリング周期で前記レベルをサンプリングすることにより、前記可変利得増幅器の利得を制御してもよい。
また、前記増幅器制御部は、前記レベルをサンプリングするタイミングに同期して、前記他の利得制御部の前記増幅器制御部が前記可変利得増幅器の利得を制御しているか否かを判定してもよい。
【００１２】
本発明の第２の態様に係る利得制御方法は、縦続接続された複数の利得制御部において利得を制御する利得制御方法であって、前記複数の利得制御部のうちの一の利得制御部は、可変利得増幅器の出力信号のレベルを検出する手順と、他の前記利得制御部が、当該他の前記利得制御部が備える前記可変利得増幅器の利得を制御していない場合に、検出した前記レベルに基づいて、前記一の利得制御部が備える可変利得増幅器の利得を制御する手順とを備えることを特徴とする。
【発明の効果】
【００１３】
本発明によれば、出力信号のレベルを短時間で目標範囲に収束させることができるという効果を奏する。
【図面の簡単な説明】
【００１４】
【図１】本実施形態に係る利得制御装置の概要図である。
【図２】本実施形態に係る時間と出力信号レベルの状態との関係を示す図である。
【図３】本実施形態に係る複数の利得制御部における処理の流れを示すフローチャートである。
【図４】本実施形態に係る利得調整処理における処理の流れを示すフローチャートである。
【発明を実施するための形態】
【００１５】
［利得制御装置１の構成］
図１は、本実施形態に係る利得制御装置１の概要図である。
利得制御装置１は、複数の利得制御部１０Ａ、１０Ｂを備えている。利得制御部１０Ａと利得制御部１０Ｂとは、同一の機能構成を有しており、入力信号に対する出力信号の利得を調整し、出力信号のレベルを目標レベルから一定の範囲に制御する利得制御を行う。
【００１６】
利得制御部１０Ａと利得制御部１０Ｂとは、縦続接続されている。具体的には、利得制御部１０Ａは、第１の系統に設けられており、利得制御された出力信号を第１の系統とは異なる第２の系統の利得制御部１０Ｂに出力する。利得制御部１０Ｂは、利得制御部１０Ａから出力された信号を入力信号とし、当該入力信号に対して利得制御を行う。本実施形態において、利得制御装置１は、まず、利得制御部１０Ａにおいて、入力信号の利得制御を行い、利得制御部１０Ａにおける出力信号のレベルが、目標レベルから所定の範囲内に収束したことに応じて、利得制御部１０Ｂにおいて利得制御を行う。
【００１７】
続いて、利得制御部１０Ａ及び利得制御部１０Ｂの機能について説明を行う。
なお、利得制御部１０Ａ及び利得制御部１０Ｂの機能構成は同一であるので、以下、利得制御部１０Ｂの機能に着目して説明を行う。
【００１８】
ここで、利得制御部１０Ｂの目標レベルに対して許容される出力信号のレベルの範囲を示す目標収束範囲は、利得制御部１０Ａの目標収束範囲よりも小さい。利得制御部１０Ｂの目標収束範囲を、利得制御部１０Ａの目標収束範囲よりも小さくすることで、出力信号のレベルを高い精度で調整することができる。なお、目標レベルとは、出力信号のレベルが収束した場合の理想的なレベルである。
【００１９】
利得制御部１０Ｂは、可変利得増幅器１１と、レベル検波回路１２と、利得調整部１３と、記憶部１４とを備えている。利得調整部１３は、例えばＣＰＵにより構成されており、ＥＥＰＲＯＭ又はＲＯＭによって構成されている記憶部１４に記憶された利得制御プログラムを実行することにより、レベル検出部１３１、増幅器制御部１３２及び状態情報生成部１３３として機能する。
【００２０】
可変利得増幅器１１は、利得調整部１３によって設定された利得で入力信号を増幅し、増幅後の信号を出力信号として出力する。ここで、可変利得増幅器１１は、利得調整部１３によって利得が設定される前は、利得が１に設定されており、入力信号をそのまま出力信号として出力する。
【００２１】
レベル検波回路１２は、可変利得増幅器１１から出力された出力信号を検波して、検波レベルを示す信号を利得調整部１３に出力する。レベル検波回路１２は、例えば、検波レベルに応じたデジタル値をレベル検出部１３１に出力する。
【００２２】
レベル検出部１３１は、レベル検波回路１２から入力された検波レベルを示す信号に基づいて、可変利得増幅器１１の出力信号のレベルを検出する。以下、検出された出力信号のレベルを検出レベルともいう。
【００２３】
増幅器制御部１３２は、レベル検出部１３１が検出した検出レベルに基づいて、可変利得増幅器１１の利得を制御する。増幅器制御部１３２は、検出レベルに基づいて決定した利得設定値を可変利得増幅器１１に出力することにより、可変利得増幅器１１の利得を制御する。
【００２４】
増幅器制御部１３２は、他の利得制御部１０Ａの増幅器制御部１３２が可変利得増幅器１１の利得を制御していない場合に、可変利得増幅器１１の利得を制御する。ここで、他の利得制御部１０Ａの増幅器制御部１３２が可変利得増幅器１１の利得を制御していない状態は、他の利得制御部１０Ａの増幅器制御部１３２が、可変利得増幅器１１の利得を制御した結果、可変利得増幅器１１において安定したレベルの出力信号が出力され、可変利得増幅器１１の利得の調整が行われていない状態をいう。
【００２５】
増幅器制御部１３２は、他の利得制御部１０Ａが有する状態情報生成部１３３が生成した、出力信号のレベルの状態を示す状態情報に基づいて、利得制御部１０Ｂの可変利得増幅器１１の利得を制御するか否かを判定する。ここで、増幅器制御部１３２は、所定の間隔で、他の利得制御部１０Ａの増幅器制御部１３２が可変利得増幅器１１の利得を制御しているか否かを判定する。例えば、増幅器制御部１３２は、レベル検出部１３１が検出した検出レベルをサンプリングするタイミングに同期して、他の利得制御部１０Ａの状態を確認する。
【００２６】
ここで、出力信号レベルの状態には、収束安定状態、微調整状態、粗調整状態、粗調整範囲外状態が存在している。
図２は、本実施形態に係る時間と出力信号レベルの状態との関係を示す図である。図２における横軸は時間を示し、縦軸は出力信号のレベルと目標レベルとの差分を示す。
【００２７】
図２に示すように、収束安定状態とは、検出レベルが、目標レベルに対して許容される範囲（例えば、目標レベルから１ｄＢ以内）である目標収束範囲に含まれている状態をいう。ここで、目標レベル及び目標収束範囲を示す情報は、例えば記憶部１４に記憶されている。
【００２８】
微調整状態とは、検出レベルが、目標収束範囲内に含まれておらず、微調整を要する範囲（以下、微調整範囲という）に含まれている状態をいう。ここで、微調整を要する範囲の閾値を、「微調閾値」という。
粗調整状態とは、検出レベルが、目標収束範囲内及び微調整を要する範囲内に含まれておらず、粗調整を要する範囲（以下、粗調整範囲という）に含まれている状態をいう。ここで、粗調整を要する範囲の閾値を、「粗調閾値」という。
粗調整範囲外状態とは、検出レベルが、目標収束範囲内、微調整を要する範囲内及び粗調整を要する範囲内に含まれていない状態をいう。
【００２９】
ここで、増幅器制御部１３２は、レベル検出部１３１が検出した検出レベルと目標レベルとの差分に基づいて選択したサンプリング周期で検出レベルをサンプリングすることにより、可変利得増幅器１１の利得を制御する。すなわち、増幅器制御部１３２は、検出レベルの状態に応じて、検出レベルをサンプリングする周期を変化させる。
【００３０】
増幅器制御部１３２は、例えば、出力信号のレベルの状態が粗調整状態又は粗調整範囲外状態である場合には、微調整状態である場合に比べて、サンプリング周期を短くする。例えば、図２に示すように、出力信号レベルの状態が粗調整範囲外状態である場合、増幅器制御部１３２は、サンプリング周期を短く（例えば、１ミリ秒）設定する。その後、出力信号レベルと目的レベルとの差分が小さくなり、出力信号レベルの状態が微調整状態となると、増幅器制御部１３２は、サンプリング周期を長く（例えば、２００ミリ秒）設定する。これにより、増幅器制御部１３２は、粗調整において高速に利得制御を行い、その後、微調整状態において、時間をかけて利得制御を行う。よって、利得制御部１０Ｂは、高速かつ安定的な利得制御を実現することができる。
【００３１】
増幅器制御部１３２は、他の利得制御部１０Ａにおける状態情報が、「収束安定状態」を示すものであるとき、可変利得増幅器１１の利得を制御すると判定する。また、増幅器制御部１３２は、他の利得制御部１０Ａにおける状態情報が、「収束安定状態」を示すものではないとき、可変利得増幅器１１の利得を制御しないと判定する。
【００３２】
増幅器制御部１３２は、可変利得増幅器１１の利得を制御すると判定した場合、検出レベルと出力信号の目標レベルとの差分に基づいて、利得の調整幅を選択する。そして、増幅器制御部１３２は、選択した調整幅により、可変利得増幅器１１の利得を制御する。
【００３３】
増幅器制御部１３２は、検出レベルと目標レベルとの差分が微調整範囲内である場合には、利得の調整幅を最小調整量（例えば、１ビット）とする。また、増幅器制御部１３２は、検出レベルと目標レベルとの差分が粗調整範囲内である場合には、利得の調整幅を差分量の半分とする。また、増幅器制御部１３２は、検出レベルと目標レベルとの差分が粗調整範囲外である場合には、利得の調整幅を最大調整量（例えば、４０ビット）とする。増幅器制御部１３２は、選択された調整幅に基づいて生成した利得設定値を可変利得増幅器１１に出力する。
【００３４】
なお、以上の説明では、利得制御部１０Ｂの増幅器制御部１３２の機能について説明したが、利得制御部１０Ａの増幅器制御部１３２は、利得制御部１０Ｂにおける状態情報を参照することなく、可変利得増幅器１１の利得制御を行うものとする。
【００３５】
状態情報生成部１３３は、検出レベルが収束安定しているか否かの状態を示す状態情報を生成する。具体的には、状態情報生成部１３３は、増幅器制御部１３２が算出した、検出レベルと目標レベルとの差分に基づいて、検出レベルが、収束安定状態、微調整状態、粗調整状態、及び粗調整範囲外状態のいずれに該当するかを判定し、いずれかの状態を示す状態情報を生成する。
【００３６】
具体的には、状態情報生成部１３３は、差分が目標レベルから１ｄＢ以内である場合、収束安定状態であると判定する。また、状態情報生成部１３３は、差分が目標レベルから１ｄＢの範囲よりも大きく、かつ、微調閾値未満の場合、微調整状態であると判定する。また、状態情報生成部１３３は、差分が微調閾値より大きく、粗調閾値未満の場合、粗調整状態であると判定する。また、状態情報生成部１３３は、差分が粗調閾値よりも大きい場合、粗調範囲外状態であると判定する。
【００３７】
［利得制御部１０Ａ及び利得制御部１０Ｂの動作フローチャート］
続いて、利得制御部１０Ａ及び利得制御部１０Ｂにおける処理の流れについてフローチャートを用いながら説明を行う。図３は、本実施形態に係る利得制御部１０Ａ及び利得制御部１０Ｂにおける処理の流れを示すフローチャートである。
【００３８】
利得調整部１３は、可変利得増幅器１１に利得設定値を入力することにより利得を制御し、可変利得増幅器１１は、設定された利得で入力信号を増幅し、出力信号を出力する（Ｓ１）。利得調整部１３は、出力信号のレベルに基づいて、利得の調整及び状態情報の生成を行う（Ｓ２〜Ｓ６）。
【００３９】
まず、レベル検出部１３１は、可変利得増幅器１１から出力された出力信号のレベルを検出する（Ｓ２）。続いて、増幅器制御部１３２は、他の利得制御部に対応する状態情報を参照し、他の利得制御部における検出レベルの状態を検出する（Ｓ３）。ここで、他の利得制御部は、本フローチャートが利得制御部１０Ａによって処理を行う場合には、利得制御部１０Ｂであり、本フローチャートが利得制御部１０Ｂによって処理を行う場合には、利得制御部１０Ａである。
【００４０】
続いて、増幅器制御部１３２は、他の利得制御部における検出レベルの状態が、「収束安定状態」を示しているか否かを判定する（Ｓ４）。増幅器制御部１３２は、他の利得制御部における検出レベルの状態が、「収束安定状態」を示している場合（判定がＹｅｓの場合）、Ｓ５に処理を移し、「収束安定状態」を示していない場合（判定がＮｏの場合）、Ｓ１に処理を移す。
【００４１】
なお、Ｓ３及びＳ４の処理は、利得制御部１０Ｂの増幅器制御部１３２によって行われるものとする。例えば、利得制御部１０Ａに対応する状態情報が、「収束安定状態」に変化する前には、利得制御部１０Ｂの増幅器制御部１３２は、Ｓ４の処理において、Ｎｏに分岐し、利得の制御を行うことなくＳ１に処理を移す。その結果、Ｓ１において、可変利得増幅器１１は、入力信号をそのまま出力信号として出力する。そして、利得制御部１０Ａに対応する状態情報が、「収束安定状態」に変化すると、利得制御部１０Ｂの増幅器制御部１３２は、Ｓ４の処理において、Ｙｅｓに分岐し、利得の調整を行う。これにより、利得制御部１０Ｂにおける利得の制御が開始される。
【００４２】
他方、利得制御部１０Ａの増幅器制御部１３２は、他の利得制御部に対応する状態情報を参照しないため、Ｓ３及びＳ４に対応する処理を省略するものとするが、「収束安定状態」を示す状態情報を生成し、擬似的に状態情報を取得したものとしてもよい。このようにすることで、利得制御部１０Ａの増幅器制御部１３２は、Ｓ４の判定でＹｅｓに分岐し、Ｓ５の処理を実行することができる。
【００４３】
続いて、増幅器制御部１３２は、利得調整処理を行う（Ｓ５）。この処理の詳細については、後述する。
続いて、状態情報生成部１３３は、検出レベルと目標レベルとの差分に基づいて、状態情報を生成する（Ｓ６）。この処理が終了すると、再びＳ１の処理が実行される。
【００４４】
［利得調整処理の動作フローチャート］
続いて、利得調整処理の詳細について説明する。図４は、本実施形態に係る利得調整処理における処理の流れを示すフローチャートである。
【００４５】
まず、増幅器制御部１３２は、検出レベルと目標レベルとの差分を算出する（Ｓ５１）。
続いて、増幅器制御部１３２は、算出した差分が、収束範囲に含まれるか否かを判定する。増幅器制御部１３２は、算出した差分が、収束範囲に含まれると判定した場合（判定がＹｅｓの場合）、Ｓ５３に処理を移し、算出した差分が、収束範囲に含まれないと判定した場合、Ｓ５４に処理を移す。
【００４６】
Ｓ５３において、増幅器制御部１３２は、現在の出力信号のレベルが収束安定状態にあると特定する。
Ｓ５４において、増幅器制御部１３２は、算出した差分が粗調閾値よりも小さいか否かを判定する。増幅器制御部１３２は、算出した差分が粗調閾値よりも小さいと判定した場合（判定がＹｅｓの場合）、Ｓ５５に処理を移し、算出した差分が粗調閾値以上と判定した場合、Ｓ６０に処理を移す。なお、増幅器制御部１３２は、算出した差分を各種閾値と比較する場合には、算出した差分の絶対値が各種閾値の絶対値よりも小さいか否かを判定する。これは、各種閾値が、正負が異なる２つの閾値を有しているためである。
【００４７】
Ｓ５５において、増幅器制御部１３２は、算出した差分が微調閾値よりも小さいか否かを判定する。増幅器制御部１３２は、算出した差分が微調閾値よりも小さいと判定した場合（判定がＹｅｓの場合）、Ｓ５６に処理を移し、算出した差分が微調閾値以上と判定した場合、Ｓ５８に処理を移す。
【００４８】
Ｓ５６において、増幅器制御部１３２は、現在の出力信号のレベルが微調整状態にあると特定する。この場合、増幅器制御部１３２は、利得の調整幅を最小調整量（例えば、±１ビット）と決定する。増幅器制御部１３２は、１ビットの調整量に相当する大きさだけ変化させた利得設定値を可変利得増幅器１１に設定する（Ｓ５７）。
【００４９】
Ｓ５８において、増幅器制御部１３２は、現在の出力信号のレベルが粗調整状態にあると特定する。この場合、増幅器制御部１３２は、利得の調整幅を差分の半分とする。具体的には、増幅器制御部１３２は、算出した差分の半分の大きさに相当する調整量だけ変化させた利得設定値を可変利得増幅器１１に設定する（Ｓ５９）。
【００５０】
Ｓ６０において、増幅器制御部１３２は、現在の出力信号のレベルが粗調整範囲外状態にあると特定する。この場合、増幅器制御部１３２は、利得の調整幅を最大値（例えば、±４０ビット）と決定する。増幅器制御部１３２は、４０ビットの調整量に相当する大きさだけ変化させた利得設定値を可変利得増幅器１１に設定する（Ｓ６１）。
続いて、増幅器制御部１３２は、Ｓ５７、Ｓ５９、又はＳ６１において決定した利得設定値を可変利得増幅器１１に出力する（Ｓ６２）。
【００５１】
［本実施形態の効果］
以上のとおり、本実施形態に係る利得制御装置１は、複数の利得制御部を縦続接続して利得制御を行うので、広範囲のレベルを有する入力信号に対して所望の出力信号を出力することができる。また、複数の利得制御部のうちの利得制御部１０Ｂの増幅器制御部１３２は、他の利得制御部１０Ａの増幅器制御部１３２が可変利得増幅器１１の利得を制御していない場合に、利得制御部１０Ｂの可変利得増幅器１１の利得を制御する。これにより、利得制御部１０Ｂは、他の利得制御部１０Ａにおける利得調整による出力信号の変動の影響を受けずに利得を調整するので、出力信号の変動の影響を受ける場合に比べて安定的に利得を調整することができる。よって、利得制御装置１は、出力信号のレベルを短時間で目標範囲に収束させることができる。
【００５２】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【００５３】
例えば、本実施形態では、２つの利得制御部を縦続接続させたが、これに限らない。例えば、３つ以上の利得制御部を縦続接続させ、Ｎ（ただし、Ｎ＞１）個目の利得制御部が、Ｎ−１個目の利得制御部における出力信号のレベルに基づいて、Ｎ個目の利得制御部が有する可変利得増幅器の利得を制御するようにしてもよい。
【００５４】
また、上記の実施形態においては、ＣＰＵがコンピュータプログラムを実行することにより、レベル検出部１３１、増幅器制御部１３２及び状態情報生成部１３３として機能する構成について説明したが、利得調整部１３の一部又は全てを、コンピュータプログラムを用いることなく構成してもよい。
【符号の説明】
【００５５】
１・・・利得制御装置、１０Ａ、１０Ｂ・・・利得制御部、１１・・・可変利得増幅器、１２・・・レベル検波回路、１３・・・利得調整部、１３１・・・レベル検出部、１３２・・・増幅器制御部、１３３・・・状態情報生成部、１４・・・記憶部
【図１】
2015076649.tif 000003
【図２】
2015076649.tif 000004
【図３】
2015076649.tif 000005
【図４】
2015076649.tif 000006